【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
動物の組織膜にマイクロポアを形成し、そして透過体を送達するための、経皮薬物送達デバイスであって、該デバイスは：
組織インターフェース層であって、以下：
ａ）基材；および
ｂ）少なくとも１つのポレーターであって、ここで該ポレーターは、該基材上または該基材内に位置する、ポレーター
を備える、組織インターフェース層；
該組織インターフェース層と連絡する、少なくとも１つのリザーバー；ならびに
該ポレーターによる該マイクロポアの形成を制御するための、コントローラー、
を備える、デバイス。
【請求項２】
前記少なくとも１つのリザーバー内に貯蔵された透過性組成物をさらに含む、請求項１に記載の経皮薬物送達デバイス。
【請求項３】
前記透過性組成物が、薬物または生物学的に活性な成分である、請求項２に記載の経皮薬物送達デバイス。
【請求項４】
前記少なくとも１つのポレーターが、ワイヤ導電体、沈積された導電材料、機械加工された導電材料、レーザー切断導電性材料、吸着性ホイル、電気めっきされた材料、スクリーンプリントされた材料およびエッチングされた導電性材料からなる群から選択される、請求項１に記載の経皮薬物送達デバイス。
【請求項５】
前記コントローラーが、前記少なくとも１つのポレーターに刺激を付与し、該刺激が、該ポレーターによる前記ポアの形成を開始する、請求項１に記載の経皮薬物送達デバイス。
【請求項６】
前記刺激が、熱パルスである、請求項５に記載の経皮薬物送達デバイス。
【請求項７】
前記刺激が、電気的パルスである、請求項５に記載の経皮薬物送達デバイス。
【請求項８】
前記基材が、前記組織膜への付着に適切な接着層をさらに備える、請求項１に記載の経皮薬物送達デバイス。
【請求項９】
組織膜を横切って薬物を送達するための経皮薬物送達パッチシステムであって、該システムが、以下：
アクチュエーター；
該アクチュエーターに取り外し可能に接続されたポレーターアレイであって、該ポレーターアレイが該アクチュエーターによって作動され、そして該組織膜中で少なくとも１つのマイクロポアを形成する、少なくとも１つのマイクロポレーターを備える、ポレーターアレイ；
リザーバーパッチであって、該少なくとも１つのマイクロポアの形成の後に該組織膜に適用される、リザーバーパッチ；および
該リザーバーパッチを該組織膜中の該少なくとも１つのマイクロポアの上に配置するための、整列システム
を備える、システム。  
【請求項１０】
請求項９に記載の経皮薬物送達パッチシステムであって、前記アクチュエーターが、以下：
該アクチュエーターの頂部を規定する外部本体であって、該外部本体が、内部キャビティーを規定する、外部本体；
駆動電子機器およびバッテリーを備えるコントローラーボードであって、該コントローラーボードが、該内部キャビティーの中に位置している、コントローラーボード；および
前記ポレーターアレイを受容するためのインターフェース結合ポートであって、該インターフェース結合ポートが、少なくとも１つの電気的インターフェース接触を備える、インターフェース結合ポート
を備える、システム。
【請求項１１】
請求項９に記載の経皮薬物送達パッチシステムであって、前記リザーバーパッチが、以下：
頂部層
前記組織膜に適用される薬物または他の透過性組成物を含むための、少なくとも１つのキャビティーを規定する中間層；および
底部層であって、該底部層は透過性であって、該薬物または他の透過性組成物が該キャビティーから出て、そして該組織膜に適用されることを可能にし、該底部層は、該組織膜の前記マイクロポレーションされた領域への該リザーバーパッチの接着のための接着剤を備える、底部層
をさらに備える、システム。
【請求項１２】
請求項１１に記載の経皮薬物送達パッチシステムであって、ここで前記リザーバーパッチが、前記底部層に接着されたカバー層をさらに備え、該パッチが前記組織膜に適用されるまで前記薬物または他の透過性薬物組成物を前記中間層中に保つ、システム。
【請求項１３】
請求項９に記載の経皮薬物送達パッチシステムであって、前記マイクロポレーターが、生物学的組織膜への直接的接触を介して伝導性に熱エネルギーを送達して前記マイクロポアを形成するために十分に深く該膜の一部を剥離させることが可能である、プローブ要素であって、該プローブ要素は、組織膜への直接的接触を介して電気エネルギーを送達して該マイクロポアを形成するために十分に深く該膜の一部を剥離させることが可能である、プローブ要素、電子機械的アクチュエーター、微小ランセット、微小針または微小ランセットのアレイ、超音波エネルギーアブレーター、レーザー切除システム、および高圧流体ジェットパンクチャラーからなる群より選択される、経皮薬物送達パッチシステム。
【請求項１４】
前記アクチュエーターが、前記組織膜のポレーションを開始するためのコントロールボタンをさらに備える、請求項９に記載の経皮薬物送達パッチシステム。
【請求項１５】
前記リザーバーパッチが、前記マイクロポレーターを予め取り外して、または取り外す前に適用される、請求項９に記載の経皮薬物送達パッチシステム。
【請求項１６】
統合されたモニタリングおよび送達システムであって、以下：
送達および抽出パッチであって、以下：
ａ）第１の組織インターフェース層および組織膜に適用されるための透過性組成物を貯蔵するための第１のリザーバーを含む第１の部分であって、該第１の組織インターフェース膜が、基材をさらに備え、第１のポレーターが、該基材上または該基材内に含まれる、第１の部分；および
ｂ）第２の組織インターフェース層および分析のために該組織膜から分析物またはサンプルを回収するための第２のリザーバーを含む第２の部分であって、該第２の組織インターフェース膜が、基材をさらに含み、第２のポレーターが、該基材上または該基材内に含まれる、第２の部分；
を備える、送達および抽出パッチ；
該第１のポレーターおよび該第２のポレーターを作動させるためのコントローラーであって、これにより、該組織膜にマイクロポアを形成する、コントローラー
を備える、統合されたモニタリングおよび送達システム。
【請求項１７】
請求項１６に記載の統合されたモニタリングおよび送達システムであって、ここで前記第１のポレーターおよび前記第２のポレーターが、同一のポレーターである、統合されたモニタリングおよび送達システム。
【請求項１８】
請求項１６に記載の統合されたモニタリングおよび送達システムであって、ここで前記第１のポレーターおよび前記第２のポレーターが、異なるポレーターである、統合されたモニタリングおよび送達システム。
【請求項１９】
請求項１６に記載の統合されたモニタリングおよび送達システムであって、前記第１のポレーターおよび前記第２のポレーターの各々が、生物学的組織膜への直接的接触を介して伝導性に熱エネルギーを送達して前記マイクロポアを形成するために十分に深く該膜の一部を剥離させることが可能である、プローブ要素であって、該プローブ要素は、組織膜への直接的接触を介して電気エネルギーを送達して該マイクロポアを形成するために十分に深く該膜の一部を剥離させることが可能である、プローブ要素、電子機械的アクチュエーター、微小ランセット、微小針または微小ランセットのアレイ、超音波エネルギーアブレーター、レーザー切除システム、および高圧流体ジェットパンクチャラーからなる群より選択される、統合されたモニタリングおよび送達システム。
【請求項２０】
請求項１６に記載の統合されたモニタリングおよび送達システムであって、ここで前記第１のリザーバーおよび第２のリザーバーが、それぞれ以下：
頂部層
少なくとも１つのキャビティーを規定する中間層であって、該第１のリザーバー中の該少なくとも１つのキャビティーは、前記組織膜に適用される薬物または他の透過性組成物を貯蔵し、そして該第２のリザーバー中の該少なくとも１つのキャビティーは、前記分析物を受容する、中間層；および
底部層であって、該底部層は透過性であり、該底部層を通って、該薬物が該第１のリザーバー中の該組織膜に適用され、そして該分析物が該第２のリザーバー中で抽出される、底部層
をさらに備える、統合されたモニタリングおよび送達システム。
【請求項２１】
請求項１６に記載の統合されたモニタリングおよび送達システムであって、ここで前記第１のポレーターおよび第２のポレーターの各々が、ワイヤ導体、機械加工された伝導性材料、レーザー切断された伝導性材料、接着性ホイル、電気めっきされた材料、形状記憶合金材料およびエッチングされた伝導性材料からなる群より選択される、統合されたモニタリングおよび送達システム。
【請求項２２】
請求項１６に記載の統合されたモニタリングおよび送達システムであって、前記送達および抽出パッチが、前記組織膜とのシールを促進するための接着層をさらに含む、統合されたモニタリングおよび送達システム。
【請求項２３】
請求項１６に記載の統合されたモニタリングおよび送達システムであって、前記分析物を分析するための装置をさらに備え、該装置は、該分析物の分析物濃度を決定し、そして該分析物濃度に基づいて前記透過性組成物の送達を制御する、アルゴリズムを含む、統合されたモニタリングおよび送達システム。
【請求項２４】
フラックス増大デバイスであって、以下：
セルキャビティーを規定する外部壁であって、該外部壁が、該セルキャビティーと境界を接し、マイクロポアを有する組織膜とインターフェースする縁を有し、該セルキャビティーの膜インターフェース端は、該組織膜とインターフェースする開口部を規定する、外部壁；
内部キャビティーを規定するリザーバーであって、該リザーバーが該セルキャビティー中に含まれており、該セルキャビティー中の該開口部に向かう出口を規定する、リザーバー；
該リザーバーと該セルキャビティーの該膜インターフェース端における該外部壁との間に配置された第１のしなやかな膜；および
該リザーバーの壁、該外部壁ならびに該第１のしなやかな膜および第２のしなやかな膜によって規定される圧力チャンバーを形成する、第２のしなやかな膜
を備える、デバイス。
【請求項２５】
請求項２４に記載のフラックス増大デバイスであって、ここで前記リザーバーが、前記マイクロポアを経由して前記組織膜に投与される透過性組成物を含む、デバイス。
【請求項２６】
請求項２４に記載のフラックス増大デバイスであって、ここで前記リザーバーが、前記マイクロポアを経由して前記組織膜から抽出される分析物を受けるように適合されている、デバイス。
【請求項２７】
請求項２４に記載のフラックス増大デバイスであって、ここで前記リザーバーが、前記セルキャビティー中に取り外し可能に含まれている、デバイス。
【請求項２８】
請求項２４に記載のフラックス増大デバイスであって、ここで前記リザーバーが、前記セルキャビティーの統合部分として形成されている、デバイス。
【請求項２９】
請求項２４に記載のフラックス増大デバイスであって、ここで前記第１のしなやかな膜が、接着性コーティングを備え、前記組織膜とのシールを促進する、デバイス。
【請求項３０】
請求項２４に記載のフラックス増大デバイスであって、ここで前記外部壁の前記縁および前記リザーバーの前記開口部が接着性コーティングを備え、前記組織膜とのシールを促進する、デバイス。
【請求項３１】
請求項２４に記載のフラックス増大デバイスであって、該デバイスが、前記セルキャビティー中の圧力を調節する第１の圧力ポートおよび前記内部キャビティー中の圧力を調節する第２の圧力ポートをさらに備える、デバイス。
【請求項３２】
請求項２４に記載のフラックス増大デバイスであって、該デバイスが、前記組織膜への透過性組成物の送達、または該組織膜からの分析物の抽出を制御するためのコントローラーをさらに備える、デバイス。
【請求項３３】
動物の組織膜中の少なくとも１つのマイクロポアを形成するためのシステムであって、該システムは、以下：
ポレーションデバイスを提供するための手段であって、該ポレーションデバイスは、以下：
ａ）組織インターフェース層であって、以下：
ｉ）基材；および
ｉｉ）少なくとも１つのポレーターであって、ここで該少なくとも１つのポレーターは、該基材上または該基材内に位置し、該少なくとも１つのポレーターは、導電性材料から構成される、ポレーター
を備える、組織インターフェース層；ならびに
ｂ）該少なくとも１つのポレーターによる該少なくとも１つのマイクロポアの形成を制御するための、コントローラー、
を備える、手段；
該組織膜と該ポレーションデバイスとを接触させるための手段；ならびに
熱エネルギーおよび電気的エネルギーを該少なくとも１つのポレーターに該コントローラーを経由して送達し、それによって、該組織膜中に該少なくとも１つのマイクロポアを形成するための、手段
を備える、システム。
【請求項３４】
請求項３３に記載のシステムであって、透過性組成物を前記少なくとも１つのマイクロポアに適用する手段をさらに備え、該透過性組成物は、前記組織膜と直接的に連絡するかまたは間接的に連絡するリザーバー中に貯蔵される、システム。
【請求項３５】
前記透過性組成物が、薬物または生物学的に活性な成分である、請求項３４に記載のシステム。
【請求項３６】
前記ポレーターが、ワイヤ導電体、沈積された導電材料、機械加工された導電材料、レーザー切断導電性材料、吸着性ホイル、電気めっきされた材料、スクリーンプリントされた材料およびエッチングされた導電性材料からなる群から選択される、請求項３３に記載のシステム。
【請求項３７】
組織膜を経由して動物に２種以上の生物学的に活性な化合物を送達するためのシステムであって、該システムは、以下：
ポレーションデバイスと該組織膜とを接触させて、該ポレーションデバイスを活動させることによって、該組織膜中に少なくとも１つのマイクロポアを形成するための手段；
該ポレーションデバイスの第１のリザーバー中に含まれる第１の化合物を、該少なくとも１つのマイクロポアを経由して該組織膜に適用するための手段；ならびに
該ポレーションデバイスの第２のリザーバー中に含まれる第２の化合物を、該少なくとも１つのマイクロポアを経由して該組織膜に適用する手段
を備える、システム。
【請求項３８】
前記第１の化合物および第２の化合物が、前記組織膜に同時に適用される、請求項３７に記載のシステム。
【請求項３９】
前記第１の化合物が、第１の生物学的に活性な因子であり、そして前記第２の化合物が、異なる生物学的に活性な因子である、請求項３７に記載のシステム。
【請求項４０】
前記第１の化合物が、生物学的に活性な因子であり、そして前記第２の化合物が、薬学的に受容可能な賦形剤である、請求項３７に記載のシステム。
【請求項４１】
前記第１の化合物および第２の化合物が、前記組織膜に適用される前に、前記ポレーション内で混合される、請求項３７に記載のシステム。
【請求項４２】
組織膜を横切る生物学的化合物の通過を容易にするためのシステムであって、該システムは、以下：
ポレーションデバイスと該組織膜とを接触させて、該ポレーションデバイスを活動させることによって、該組織膜中に少なくとも１つのマイクロポアを形成するための手段；
該ポレーションデバイスの第１のリザーバー中に含まれる第１の化合物を、該少なくとも１つのマイクロポアを経由して該組織膜に適用するための手段；ならびに
該組織膜から第２の化合物を抽出して、該ポレーションデバイスの第２のリザーバー中に該第２の化合物を貯蔵するための、手段
を備える、システム。
【請求項４３】
前記組織膜への前記第１の化合物の適用、および該組織膜からの前記第２の化合物の抽出が、同時に行われる、請求項４２に記載のシステム。
【請求項４４】
前記組織膜からの前記第２の化合物の抽出が、該組織膜への前記第１の化合物の適用の前に行われる、請求項４２に記載のシステム。
【請求項４５】
前記第２の化合物を分析するための手段、および該分析に基づいて前記第１の化合物を適用するための手段をさらに備える、請求項４４に記載のシステム。
【請求項４６】
薬物送達パッチシステムを製造する方法であって、該方法が、以下の工程：
以下の工程：
ａ）アクチュエーターの頂部を形成する外部本体を形成する工程であって、該外部本体が、キャビティーを備える、工程；
ｂ）駆動電子機器およびバッテリーを含むコントローラーボードを組み立てる工程、および該キャビティー内に該コントローラーボードを配置させる工程；および
ｃ）ポレーターアレイを受けるためのインターフェース結合を準備する工程であって、該インターフェース結合が少なくとも１つの電気的インターフェース接触部を含む工程
を包含する、アクチュエーターを組み立てる工程；
以下の工程：
ａ）頂部表面を形成する工程であって、該頂部が、該アクチュエーター中で該インターフェース結合に接触するための少なくとも１つの電気的接触部を含む工程
ｂ）底部表面を形成する工程であって、該底部表面が、組織インターフェース膜を備え、該組織インターフェース膜が、該基材上に、または該基材内に含まれる少なくとも１つのポレーターを有する基材をさらに備える、工程；および
ｃ）該底部表面に、側方にかつ取り外し可能に伸長タブを接着させる工程、および接着層を該伸長タブの底部に適用し、これにより該伸長タブが該ポレーターアレイの除去の際に該組織膜上に残ることを可能にする、工程；および
ｄ）剥離ライナーを該底部表面に除去可能に接着させる工程
を包含する、該ポレーターアレイを組み立てる工程；ならびに
リザーバーパッチを該伸長タブに接着させる工程であって、該リザーバーパッチが、ポレーション後、該組織膜のマイクロポレーションされた領域に適用される、工程
を包含する、方法。
【請求項４７】
請求項４６に記載の方法であって、ここで前記リザーバーパッチが、以下：
頂部層；
前記組織膜に適用される薬物または他の浸透性組成物を含むための少なくとも１つのキャビティーを規定する中間層；および
底部層であって、該底部層が、孔または１つ以上の透過性膜を規定し、該孔または１つ以上の透過性膜を通って、該薬物または他の透過性組成物が該組織膜に適用される、底部層
をさらに備える、方法。
【請求項４８】
請求項４７に記載の方法であって、前記リザーバーパッチが、前記底部層に接着されたカバー層をさらに備え、該パッチが前記組織膜に適用されるまで、前記薬物または他の透過性組成物を前記中間層の少なくとも１つのキャビティー中に保つ、方法。
【請求項４９】
請求項４７に記載の方法であって、前記底部層が、前記組織膜の前記マイクロポレーションされた領域への前記リザーバーパッチの接着のための接着剤を備える、方法。
【請求項５０】
請求項４６に記載の方法であって、ここで前記少なくとも１つのポレーターが、プローブ要素であり、該プローブ要素が、耐熱性要素である、方法。
【請求項５１】
請求項４６に記載の方法であって、ここで前記アクチュエーターが、前記組織膜のポレーションを開始するためのコントロールボタンをさらに備える、方法。
【請求項５２】
請求項４６に記載の方法であって、ここで、接着層が、前記ポレーターの頂部表面に適用される、方法。
【請求項５３】
請求項４６に記載の方法であって、ここで、接着層が、前記ポレーターの底部表面に適用される、方法。
【請求項５４】
患者から抽出された分析物をモニタリングし、そして該患者に透過性組成物を送達する方法であって、該方法が、以下の工程：
送達および抽出パッチを該患者の組織膜に接触させる工程；
該送達および該抽出パッチにおいて、少なくとも１つのポレーターを用いて該組織膜をマイクロポレーションする工程；
分析物を、少なくとも１つのマイクロポアアレイを経由して前記マイクロポレーションされた組織膜から抽出する工程；
該分析物を分析して、該組織膜内で該分析物の濃度を決定する工程；および
透過性組成物を少なくとも１つのマイクロポアアレイを経由して該組織膜に送達する工程
を包含する、方法。
【請求項５５】
請求項５４に記載の方法であって、前記送達および抽出パッチが、以下：
第１の組織インターフェース層および前記組織膜に適用される透過性組成物を貯蔵するための第１のリザーバーを備える第１の部分であって、該第１の組織インターフェース層が基材をさらに備え、第１のポレーターアレイが該基材上または該基材内に含まれる、第１の部分；
第２の組織インターフェース層および分析のために該組織膜から分析物を回収するための第２のリザーバーを備える第２の部分であって、該第２の組織インターフェース層が基材をさらに備え、第２のポレーターアレイが該基材上または該基材内に含まれる、第２の部分；および
ｃ）該パッチを該組織膜に接着させるための接着剤
を備える、方法。 
【請求項５６】
請求項５５に記載の方法であって、前記第１のポレーターアレイおよび前記第２のポレーターアレイが、同一のポレーターアレイである、方法。
【請求項５７】
請求項５５に記載の方法であって、前記第１のポレーターアレイおよび前記第２のポレーターアレイが、異なるポレーターアレイである、方法。
【請求項５８】
請求項５５に記載の方法であって、ここで前記第１のポレーターアレイおよび前記第２のポレーターアレイの各々が、前記組織膜への直接的接触を介して伝導性に熱エネルギーを送達してマイクロポアを形成するために十分に深く組織膜の一部を剥離させることが可能である、プローブ要素、該組織膜への直接的接触を介して電気エネルギーを送達してマイクロポアを形成するために十分に深く該組織膜の一部を剥離させることが可能である、プローブ要素、電子機械的アクチュエーター、微小ランセット、微小針または微小ランセットのアレイ、超音波エネルギーアブレーター、レーザー切除システム、および高圧流体ジェットパンクチャラーからなる群より選択される、方法。
【請求項５９】
請求項５５に記載の方法であって、ここで第１のリザーバーおよび前記第２のリザーバーが、それぞれ以下：
頂部層；
少なくとも１つのキャビティーを有する中間層であって、該第１のリザーバー中の少なくとも１つのキャビティーは、前記組織膜に適用される薬物または他の透過性組成物を貯蔵し、そして該第２のリザーバー中の少なくとも１つのキャビティーは、前記分析物を受ける、中間層；および
底部層であって、該底部層が孔または１つ以上の透過性膜を規定し、該孔または１つ以上の透過性膜を通って、該薬物または他の透過性組成物が該第１のリザーバーから該組織膜に適用され、そして該分析物が該第２のリザーバーへと抽出される、底部層
をさらに備える、方法。
【請求項６０】
請求項５５に記載の方法であって、前記第１のポレーターアレイおよび前記第２のポレーターアレイの各々が、ワイヤ導体、機械加工された導電性材料、レーザー切断された導電性材料、接着性ホイル、電気めっきされた材料、形状記憶合金材料およびエッチングされた導電性材料からなる群より選択される、方法。
【請求項６１】
生物学的膜を横切るフラックスを増大させるためのシステムであって、以下の工程：
フラックス増大セルを該生物学的膜に接着させるための手段であって、該フラックス増大セルが該生物学的膜とインターフェースするしなやかな部分、中心部分およびリザーバーを備える、手段；
圧力を該中心部分に適用し、これにより該生物学的膜と関連付けられる組織を圧縮するための手段；
該中心部分を該生物学的膜から離して引っ張り、一方該フラックス増大セルを該生物学的膜に接着させたまま保つための手段；
該リザーバーから透過性組成物を誘導し、該生物学的膜中の孔を介して流すための手段；
該フラックス増大セルをその元の状態に戻すための手段；および
該フラックス増大セルを該生物学的膜から除去するための手段
を備える、システム。
【請求項６２】
請求項６１に記載のシステムであって、ここで前記フラックス増大セルが、接着剤、空気サクションデバイス、減圧、またはその組み合わせからなる群より選択される手段によって、前記中心部分の引っ張り工程の間に前記生物学的膜上に保たれている、システム。
【請求項６３】
請求項６１に記載のシステムであって、ここで前記しなやかな部分が、シリコーンゴム、ラテックス、ビニル、ポリウレタン、ポリエチレンからなる群より選択される材料から構築される、システム。
【請求項６４】
請求項６１に記載のシステムであって、ここで前記透過性組成物が、薬物または他の生物学的に活性な薬剤である、システム。
【請求項６５】
請求項６１に記載のシステムであって、前記接着させるための手段、前記圧力を適用するための手段、前記引っ張るための手段、前記誘導するための手段、前記戻すための手段、および前記除去するための手段を制御するためにプログラムされたマイクロプロセッサを含むコントローラーで該システムを制御するための手段をさらに備える、システム。
【請求項６６】
生物学的膜を横切るフラックスを増大させるためのシステムであって、以下の工程：
フラックス増大セルを該生物学的膜に接着させるための手段であって、該フラックス増大セルが該生物学的膜とインターフェースするしなやかな部分、中心部分およびリザーバーを備える、手段；
圧力を該中心部分の該しなやかな部分に適用し、これにより該生物学的膜と関連付けられる組織を圧縮するための手段；
該中心部分を該生物学的膜から離して引っ張り、一方該フラックス増大セルを該生物学的膜に接着させたまま保つための手段；
該リザーバーにおいて圧力を低減し、これにおり生物学的流体を誘導して該リザーバーに流すための手段；
該フラックス増大セルをその元の状態に戻すための手段；
該フラックス増大セルを該生物学的膜から除去するための手段
を備える、システム。
【請求項６７】
請求項６６に記載のシステムであって、ここで前記フラックス増大セルが、接着剤、空気サクションデバイス、減圧、またはその組み合わせからなる群より選択される手段によって、前記中心部分を引っ張る間に前記生物学的膜上に保たれている、システム。
【請求項６８】
請求項６６に記載のシステムであって、ここで前記しなやかな部分が、シリコーンゴム、ラテックス、ビニル、ポリウレタン、ポリエチレンからなる群より選択される材料から構築される、システム。
【請求項６９】
請求項６６に記載のシステムであって、前記接着させるための手段、前記圧力を適用するための手段、前記引っ張るための手段、前記圧力を低減するための手段、前記戻すための手段、および前記除去するための手段を制御するためにプログラムされたマイクロプロセッサを含むコントローラーで該システムを制御するための手段をさらに備える、システム。